(57)【要約】      （修正有）【課題】何らかの通信障害が生じた場合でも最適な制御を行うことで、画像データの確実な送受信を行う画像処理装置及び画像処理方法を提供する。【解決手段】通信障害が発生した場合には、該通信障害にかかる画像データが再送される画像処理装置において、各通信終了後に通信設定情報を記憶すると共に、通信障害の場合は通信結果情報を記録する状態記憶部と、通信障害にかかる通信相手に対してはその通信結果情報を解析して各通信設定情報を調整するための解析結果を出力する解析部と、解析部からの解析結果に基づき通信設定情報を決定する通信設定情報決定部とを設け、発生した通信障害を次回の通信に反映させ、最適な通信設定情報を設定した上での通信を実現する。【選択図】図１
2008236508.tif 000002
【特許請求の範囲】
【請求項１】
通信設定情報を定めて画像データを送受信し、通信障害が発生した場合には、該通信障害にかかる画像データが再送される画像処理装置であって、
設定される通信設定情報により所望の画像データを送受信する通信制御部と、
各通信終了後に各通信設定情報を記憶すると共に、通信障害の場合は通信結果情報を記録する状態記憶部と、
前記通信障害にかかる通信相手に対しては前記状態記憶部からの前記通信結果情報を解析して、各通信設定情報を調整するための解析結果を出力する解析部と
前記解析部からの前記解析結果に基づき、前記通信設定情報を決定する通信設定情報決定部とを有することを特徴とする画像処理装置。
【請求項２】
当該画像処理装置は、ファクシミリ通信方式により画像データを送受信することを特徴とする請求項１記載の画像処理装置。
【請求項３】
前記通信制御部が用いる通信設定情報は、データ信号速度、信号強さ、タイムアウト、ＲＴＮ送出基準、及びコーディング方式の中の１つまたは複数であることを特徴とする請求項１記載の画像処理装置。
【請求項４】
前記状態記憶部は、通信障害により通信が切断された場合には、通信結果情報を記録すると共にその通信相手を記録することを特徴とする請求項１記載の画像処理装置。
【請求項５】
前記画像データを送受信する通信回線として電話回線が使用され、相手先電話番号により前記通信相手を特定することを特徴とする請求項４記載の画像処理装置。
【請求項６】
前記解析部は、前記通信結果情報が当該通信にかかる伝送品質に関連する場合の通信結果情報と、当該通信にかかるタイムアウトについての通信結果情報である場合を区別して前記解析結果を出力することを特徴とする請求項１記載の画像処理装置。
【請求項７】
通信設定情報を定めて画像データを送受信し、通信障害が発生した場合には、該通信障害にかかる画像データが再送される画像処理方法であって、
それぞれの通信終了後に各通信設定情報を記憶すると共に、通信障害の場合は通信結果情報を記録し、前記通信障害にかかる通信相手に対しては前記通信結果情報を解析して各通信設定情報を調整して通信を行うことを特徴とする画像処理方法。
【請求項８】
前記画像データの送受信はファクシミリ通信により行われることを特徴とする請求項７記載の画像処理方法。
【請求項９】
前記通信設定情報は、データ信号速度、信号強さ、タイムアウト、ＲＴＮ送出基準、及びコーディング方式の中の１つまたは複数であることを特徴とする請求項７記載の画像処理方法。
【発明の詳細な説明】
【技術分野】
【０００１】
本発明は通信回線の伝送品質に応じた伝送が可能な画像処理装置及び画像処理方法に関し、特にファクシミリ通信による通信障害が生じた場合でも適切な対処が可能な画像処理装置及び画像処理方法に関する。
【背景技術】
【０００２】
画像データの伝送装置の１つであるファクシミリ装置は電話回線などの公衆回線を利用して遠隔地との間で文書や図面などの画像情報をやりとりすることができる伝送装置であり、家庭や事業所などで広く利用されている。
【０００３】
ファクシミリ装置を用いたファクシミリ通信では、電話回線を利用して通信を行うため、電話回線の状態により通信エラーが発生することがある。ファクシミリ通信中に通信エラーが発生した場合、ファクシミリ送信側が送信する画情報がファクシミリ受信側に正常に送信されない場合がある。従来の一般的なファクシミリ装置では、ファクシミリ送信時に通信エラーが発生した場合には、ファクシミリ装置の使用者に「ファクシミリ送信において通信エラーが発生した」旨を通知する。この通知により、ファクシミリ装置の使用者がファクシミリ送信中に通信エラーが発生したことを知ることが可能であり、ファクシミリ装置の使用者は再度同じ原稿をファクシミリ送信することにより、確実にファクシミリ送信を行うことが可能である。
【０００４】
ファクシミリ通信においては、データ信号の速度の選択は、予め送信側の装置と受信側の装置の各能力を比較して行われており、通信の開始時には、トレーニング信号やＴＣＦ信号によって正常な送受信が行われるように装置内では準備が進められる。もし送受信にかかるデータ信号速度が不適切であると判断されると、いわゆるフォールバックシーケンスと呼ばれる送信機側のデータ信号速度の切り下げ制御が行われる。高いデータ信号速度から１段階ずつ速度を下げていくと、例えば伝送品質の良くない場合では、フォールバックシーケンスの回数や時間が長くなってしまう。そこで、このような問題を解決する技術として、前回の通信のデータ信号速度を記憶しておき、通信開始の際には、前回よりも１ランク速いデータ信号速度を初期値として速度選択を行うファクシミリ装置が知られている（特許文献１参照。）。
【０００５】
【特許文献１】特開平１１−７４９８３号公報
【発明の開示】
【発明が解決しようとする課題】
【０００６】
従来のファクシミリ装置を使用して通信を行う際、もし通信エラーが発生した際に同じ相手装置と再度通信を行った場合では、同一のモードや同一の装置状態でデータを送受信するときでは同じ通信エラーになる確率が高く、所望のデータ通信を行うことができないという問題が生じている。また、上述の特許文献１にかかる装置であっても、通信に成功したデータ速度の１ランク速いデータ信号速度から通信を開始するのに過ぎないため、画乱れや伝送速度に関係のない通信エラーの場合では、フォールバックシーケンスを繰り返しても問題解決には至らず、画像データを確実に送受信することができないという問題を生じることになる。
【０００７】
そこで、本発明は上述の技術的な課題に鑑み、何らかの通信障害が生じた場合でも最適な制御を行うことで、画像データの確実な送受信を行う画像処理装置及び画像処理方法の提供を目的とする。
【課題を解決するための手段】
【０００８】
上述の技術的な課題を解決するため、本発明の画像処理装置は、通信設定情報を定めて画像データを送受信し、通信障害が発生した場合には、該通信障害にかかる画像データが再送される画像処理装置であって、設定される通信設定情報により所望の画像データを送受信する通信制御部と、各通信終了後に各通信設定情報を記憶すると共に、通信障害の場合は通信結果情報を記録する状態記憶部と、前記通信障害にかかる通信相手に対しては前記状態記憶部からの前記通信結果情報を解析して、各通信設定情報を調整するための解析結果を出力する解析部と前記解析部からの前記解析結果に基づき、前記通信設定情報を決定する通信設定情報決定部とを有することを特徴とする。
【０００９】
本発明にかかる画像処理装置は、種々の画像データを送受信するような機構の装置に対して適用可能であるが、特にファクシミリ通信方式により画像データを送受信する装置に対して適用可能とされる。本発明の画像形成装置の好適な実施の形態によれば、通信制御部が用いる通信設定情報は、データ信号速度、信号強さ、タイムアウト、ＲＴＮ送出基準、及びコーディング方式の中の１つまたは複数とすることができる。また、状態記憶部は、通信障害により通信が切断された場合には、通信結果情報を記録すると共にその通信相手を記録するものとすることができ、画像データを送受信する通信回線として電話回線が使用される場合には、相手先電話番号により前記通信相手を特定するように構成することも可能である。さらに、解析部は、前記通信結果情報が当該通信にかかる伝送品質に関連する場合のエラーコードと、当該通信にかかるタイムアウトについてのエラーである場合を区別して前記解析結果信号を送るように構成しても良い。
【００１０】
また、本発明の画像処理方法は、通信設定情報を定めて画像データを送受信し、通信障害が発生した場合には、該通信障害にかかる画像データが再送される画像処理方法であって、それぞれの通信終了後に各通信設定情報を記憶すると共に、通信障害の場合は通信結果情報を記録し、前記通信障害にかかる通信相手に対しては前記通信結果情報を解析して各通信設定情報を調整して通信を行うことを特徴とする。
【発明の効果】
【００１１】
本発明の画像処理装置によれば、通信障害が発生した場合には状態記憶部が通信結果情報を記録することになり、その通信結果情報を解析した解析部からの解析結果に基づき通信設定情報が決定されるため、通信障害の種類に応じた通信設定情報の調整が可能となり、通信設定情報の最適化を図ることができる。
【発明を実施するための最良の形態】
【００１２】
本発明の好適な実施形態を図面を参照しながら説明する。先ず、本発明の第１の実施形態の画像処理装置は、電話回線に接続されて画像やその他のデータ通信を行うファクシミリ装置であり、通信障害などの影響により通信エラーとなった場合には、その通信結果コードが記憶され、その通信結果コードを解析することで最適な通信状態にモードを可変させる装置となっている。
【００１３】
図１は本実施形態のファクシミリ装置の構成例を示すブロック図である。ファクシミリ装置１００は、電話回線などの回線１１１に接続するＮＣＵ（回線制御部）１０６を有しており、このＮＣＵ（回線制御部）１０６と接続するモデム１０５、ファクシミリ通信の制御を行う通信制御部１０４、メモリーからなる状態記憶部１０３、通信状態を解析するための解析部１０８、解析部１０８の解析結果に応じて通信設定情報としての通信パラメータを決定する通信設定情報決定部として機能する通信パラメータ決定部１０９、使用者が操作するためのパネル操作部１１０、プリントエンジン等からなる画像処理部１０２、及び原稿の読み取りを行うための読取り部１０１を有している。
【００１４】
ＮＣＵ１０６はモデム１０５を介して通信制御部１０４に接続する。ＮＣＵ１０６は回線１１１とモデム１０５とを接続するインターフェースであってネットワークコントロールユニットと呼ばれ、発呼や着信などの制御を行う装置である。モデム１０５は送受信されるデータを所定のプロトコルを用いて回線１１１に対して送信および受信するデバイスである。モデム１０５は、例えばディジタルファクシミリ用モデムによって構成され、通信モードはITU-T勧告T.３０及びV勧告で規制されたファクシミリメッセージ用の伝送制御手順とする。
【００１５】
通信制御部１０４は、ＣＰＵや各種のメモリーなどを内蔵しており、後述するような動作を行ってファクシミリ通信を制御する。パネル操作部１１０には使用者がファクシミリ装置の動作条件や通信速度、その他の設定を行うキーなどが設けられており、使用者が入力した電話番号を一時的に記憶することができる。通信制御部１０４は、通信パラメータ決定部１０９によって決定された通信パラメータにより、画像データの送受信の制御を行う。
【００１６】
状態記憶部１０３は、各通信終了後にその通信における各通信パラメータを記憶すると共に、通信障害の場合は通信結果情報としての通信結果コードを記録するメモリーであり、通信毎に状態記憶部１０３に記憶されているデータを解析して解析結果によって最適な通信を行うことができるものである。状態記憶部１０３では、図４に示すように、ファクシミリ通信の相手先の電話番号４１、通信結果コード４２、データ信号速度４３、Ｆａｘ信号の強さ４４、およびＴ２タイムアウト４５の各データ（通信パラメータ）がテーブル形式で格納されることになる。この状態記憶部１０３は最大で例えば５０通信分のデータを記憶することができ、５０通信分を超えた場合には古いデータから削除される。
【００１７】
解析部１０８は、通信終了後に状態記憶部１０３に記録されているデータから、通信結果コードを解析し、各通信パラメータを調整するための解析結果を出力する。解析部１０８は、その解析内容として通信結果コードを参照し、もし通信結果コードがエラーなしの場合（"OK"の場合）、データ信号速度、Ｆａｘ信号の強さ、およびＴ２タイムアウトの各通信パラメータをそのままにし、もし通信結果コードが画乱れや瞬断にかかる場合には、伝送品質が良くないものと判断して、データ信号速度、Ｆａｘ信号の強さの各パラメータを１ランク下げるように調整し、もし通信結果コードがタイムアウト(無反応)にかかる場合には、Ｔ２タイムアウトの時間を長くなるように調整する。なお、設定される通信速度については、２．４kbps、４．８kbps、７．２kbps、９．６kbps、１４．４kbps、２８．８kbps、および３３．６kbpsの７段階の設定が可能である。また、Ｆａｘ信号の強さは０ｄｂから１５ｄｂの設定範囲であり、Ｔ２タイムアウトは０秒（sec）から２５秒が設定範囲である。なお、上述の速度、信号強度、タイムアウトの各設定範囲は例示であり、他設定範囲となるパラメータ設定も可能である。
【００１８】
解析部１０８では、通信結果コードに応じてその通信にかかる相手機宛先の、状態記憶部１０３に記録されている通信パラメータを調整し、その調整された通信パラメータは解析結果として通信パラメータ決定部１０９に相手機宛先毎に格納される。
【００１９】
通信パラメータ決定部１０９は、通信した相手機ごとの通信パラメータを格納するテーブル形式のメモリーを有しており、その格納されるデータは例えば図５に示すような構造となる。図５に示すように、テーブル形式のメモリーに格納されるデータは、相手機宛先５１、データ信号速度５２、Ｆａｘ信号の強さ５３、およびＴ２タイムアウト５４であり、それぞれ呼ごとに通信時のデータに基づいて格納される。通信パラメータ決定部１０９のメモリーに格納されるデータは、例えば最大５０通信分であり、通信数が５０を超えた場合には上書きされて更新される。これらデータを更新する場合には、順次上書きするように進めることも可能であるが、まず相手機宛先を探して更新すべきデータがあれば上書きするようにしても良い。
【００２０】
画像処理部１０２は、受信したファックスデータに基づいて印刷用の用紙に印刷を行うプリンタエンジンや、モータ、各種センサ等のプリンタエンジンの機構制御を行うプリンタエンジン制御部などを備えた機構を有している。本実施形態では、例えば電子写真方式のものを説明するが、感熱転写方式などの記録方式でも良い。画像処理部１０２は、複合機としてプリンターや複写機の画像形成部と共用するものであっても良い。また、読取り部１０１は、当該ファクシミリ装置１００の図示しないトレーにセットされた原稿を読み取るためのスキャナー部である。
【００２１】
このような構造を有する本実施形態のファクシミリ装置は、次の如き通信動作を行う。図２は本実施形態のファクシミリ装置の通信制御についてのフローチャートである。まず、送受信を開始する場合に、相手機から回線１１１及びＮＣＵ１０６、モデム１０５を介して送られてくる電話番号を状態記憶部１０３に登録する（Ｓ２０１）。図４示すテーブルの相手機宛先４１にその受信した電話番号が格納される。ここで格納される位置の相手機宛先４１のデータは順次書き換えられ、或いは５０件目以降は順次上書きされるようなものであっても良い。
【００２２】
次に手順Ｓ２０２では、その受信した電話番号と同じ電話番号のデータを通信パラメータ決定部１０９が登録しているか否かが判定される。もし、登録されていなかった場合、解析部１０８を起動することなく手順Ｓ２０４に進む。手順Ｓ２０２で通信パラメータ決定部１０９が既に同じ電話番号を登録している場合、解析部１０８を起動し（Ｓ２０３）、後述するような通信設定情報である通信パラメータの最適な設定のための解析動作を行う。通信パラメータ決定部１０９が既に同じ電話番号を登録している場合とは、今回の通信以前の履歴が残されている場合である。
【００２３】
手順Ｓ２０４では、通信パラメータ決定部１０９に格納されているデータにより通信状態が設定され、通信が開始される。通信パラメータ決定部１０９に格納されているデータは、データ信号速度、Ｆａｘ信号の強さ、およびＴ２タイムアウトの各通信パラメータであり、解析部１０８の解析結果によっては、データ信号速度、Ｆａｘ信号の強さ、およびＴ２タイムアウトの各通信パラメータの一部が調整されて更新されたものとされる。通信相手が通信パラメータ決定部１０９が登録していない相手である場合、すなわち、過去５０回の通信記録では初めてという場合では、前回の通信データに依存しないファクシミリ通信が行われる。解析部１０８の解析結果によってデータ信号速度、Ｆａｘ信号の強さ、およびＴ２タイムアウトの各通信パラメータの一部が更新されている場合、後述するように調整された各通信パラメータは前回の通信の不具合を修正したものであるため、確実な通信を行うことができる。
【００２４】
所望のファクシミリ通信の後、状態記憶部１０３のデータ格納領域に、相手機宛先４１にそれぞれ対応するように今回のファクシミリ通信にかかるデータ信号速度４３、Ｆａｘ信号の強さ４４、およびＴ２タイムアウト４５の各通信パラメータが記憶され、同時に相手機宛先４１に対応する通信結果コード４２も記憶される。通信結果コードは、通信障害などの問題が生じていない場合、"ＯＫ"が記憶され、通信エラーとして画乱れや瞬断などがある場合では"４１Ａ３"が記憶され、さらに相手の反応がないタイムアウトの場合には"９０８２"が記憶される。このような状態記憶部１０３のデータ格納領域に、各通信パラメータを記憶させて、今回の通信を終了する。
【００２５】
次に、図３を参照しながら、解析部１０８の解析動作を説明する。まず、解析部１０８は状態記憶部１０３から通信結果情報としての通信結果コードを取得する（手順Ｓ３０１）。手順Ｓ３０２で、この通信結果コードが画乱れ又は瞬断にかかるコード"４１Ａ３"か否かが判断され、もし通信結果コードが画乱れ又は瞬断にかかるコード"４１Ａ３"である場合（Ｙｅｓの場合）、通信回線の伝送品質が良くない場合であると判断され、手順Ｓ３０３、手順Ｓ３０５に進む。手順Ｓ３０３では、通信パラメータ決定部１０９に既に格納されている通信パラメータの中、図５に示すデータ通信速度５２を１ランク下げるように調整される。図４、５に示す例では、相手機宛先"ＢＢＢ−ＢＢＢＢ（電話番号）"の通信結果コードが画乱れ又は瞬断にかかるコード"４１Ａ３"であり、当初データ信号速度が４．８kbpsであったもの（図４のデータ信号速度４３）が１ランク下げられた２．４kbpsに修正されてデータ信号速度５２に格納される。次に、通信結果コードが画乱れ又は瞬断にかかるコード"４１Ａ３"である場合、手順Ｓ３０５では、通信パラメータ決定部１０９に既に格納されている通信パラメータの中、図５に示すＦａｘ信号の強さ５３を１ランク上げるように調整される。図４、５に示す例では、相手機宛先"ＢＢＢ−ＢＢＢＢ"の通信結果コードが画乱れ又は瞬断にかかるコード"４１Ａ３"であり、当初Ｆａｘ信号の強さが１３ｄｂであったもの（図４のＦａｘ信号の強さ４４）が１ランク上げられた１４ｄｂに修正されてＦａｘ信号の強さ５３に格納される。このＦａｘ信号の強さの修正後、解析部１０８の解析フローを終了する。
【００２６】
手順Ｓ３０２で、通信結果コードが画乱れ又は瞬断にかかるコード"４１Ａ３"か否かが判断された結果、もし通信結果コードが画乱れ又は瞬断にかかるコード"４１Ａ３"ではない場合（Ｎｏの場合）、手順Ｓ３０６に進み、次の解析が行われる。すなわち、手順Ｓ３０６では通信結果コードがＴ２タイムアウトにかかるコード"９０８２"か否かが判断され、その結果、通信結果コードがＴ２タイムアウトにかかるコード"９０８２"である場合（Ｙｅｓの場合）には、手順Ｓ３０７に進み、通信パラメータ決定部１０９に既に格納されている通信パラメータの中、図５に示すＴ２タイムアウトを１ランク上げるように調整される。図４、５に示す例では、相手機宛先"ＣＣＣ−ＣＣＣＣ（電話番号）"の通信結果コードがＴ２タイムアウトにかかるコード"９０８２"であり、Ｔ２タイムアウトが６秒であったもの（図４のＴ２タイムアウト４５）が１ランク上げられた７秒に修正されてＴ２タイムアウト５４に格納される。このＴ２タイムアウトの修正後、解析部１０８の解析フローを終了する。
【００２７】
手順Ｓ３０６で通信結果コードがＴ２タイムアウトにかかるコード"９０８２"でない場合、手順Ｓ３０８に進み、通信パラメータ決定部１０９に格納されている各通信パラメータを状態記憶部１０３のままの値に設定する。もし、状態記憶部１０３にデータがない場合には、データ信号速度、Ｆａｘ信号の強さ、およびＴ２タイムアウトの各通信パラメータがそれぞれデフォルト値、３３．６ｋｂｐｓ、１３ｄｂ、１３秒に設定される。次いで解析部１０８の解析フローを終了する。
【００２８】
以上のような解析動作によって、通信時に通信エラーが発生した場合でも、解析部１０８の解析動作によって、その通信エラーが通信結果コードとして次回の通信に反映され、最適な通信パラメータに設定された上での通信が実現される。特に、通信エラーが画乱れ又は瞬断にかかる場合には、タイムアウトを調整しても改善されないものであるが、データ通信速度を下げてＦａｘ信号の強さを強く調整することで、伝送品質の劣化を補うことができる。従って、より通信し易い方向にファクシミリ装置を修正でき、また、通信エラーがタイムアウトの場合には、データ通信速度やＦａｘ信号の強さを変えずに、タイムアウトの時間を延長することで、通信をし易い方向にファクシミリ装置を修正できる。
【００２９】
このような通信状態を維持するためのパラメータの調整は、上述のように、相手機宛先ごとに行われるため、呼ごとに迅速なパラメータ修正が可能であり、本実施形態のファクシミリ装置を用いることで、ファクシミリ通信のための手順を長引かせることなく、通信を確立させることができる。
【００３０】
次に第２の実施形態にかかるファクシミリ装置について図６乃至図８を参照しながら説明する。本実施形態のファクシミリ装置は、そのブロック構成は図１に示した第１の実施形態のファクシミリ装置と同様の構成を有しており、ここではその重複した説明を省略する。第２の実施形態にかかるファクシミリ装置が第１の実施形態と異なる点は、状態記憶部に記憶されるデータと通信パラメータ決定部に格納される通信パラメータのデータにＲＴＮ送出基準とコーディング方式が追加されたところである。
【００３１】
図７は状態記憶部に記憶されるデータの例である。図７に示すように、第２の実施形態にかかるファクシミリ装置の状態記憶部のメモリーに格納されるデータは、相手機宛先６１、通信結果コード６２、データ信号速度６３、Ｆａｘ信号の強さ６４、Ｔ２タイムアウト６５、ＲＴＮ送出基準６６、及びコーディング方式６７であり、それぞれ呼ごとに通信時のデータに基づいて格納される。この状態記憶部は最大で例えば５０通信分のデータを記憶することができ、５０通信分を超えた場合には古いデータから削除される。
【００３２】
ＲＴＮ送出基準は、エラーライン数／受信ライン数で表されるパラメータであって、メッセージの受信が完全に行われなかったことを表し、更にトレーニングの再試行の後であればメッセージが続いても良いことを示す信号である。このＲＴＮ送出基準の設定範囲は０〜９９％である。コーディング方式は画像データの圧縮方式であり、本実施形態の設定値としてはＭＭＲ、ＭＲ、ＭＨが選ばれる。なお、これらのコーディング方式は例示であり、他の画像圧縮方式を選択することも可能である。
【００３３】
図８は通信パラメータ決定部のメモリーに格納されるデータを示す。第２の実施形態にかかるファクシミリ装置の通信パラメータ決定部のメモリーに格納されるデータは、相手機宛先７１、データ信号速度７２、Ｆａｘ信号の強さ７３、Ｔ２タイムアウト７４、ＲＴＮ送出基準７５、及びコーディング方式７６である。この通信パラメータ決定部で格納されるデータは例えば最大５０通信分であり、通信数が５０を超えた場合には上書きされて更新される。これらデータを更新する場合には、順次上書きするように進めることも可能であるが、まず相手機宛先を探して更新すべきデータがあれば上書きするようにしても良い。
【００３４】
次に、第２の実施形態のファクシミリ装置の解析部の解析動作について、図６を参照しながら説明する。なお、本実施形態のファクシミリ装置の通信制御は、図２に示したフローと同様であり、その重複した説明をここでは省略する。
【００３５】
まず、解析部は状態記憶部から通信結果情報である通信結果コードを取得する（手順Ｓ８０１）。手順Ｓ８０２で、この通信結果コードが画乱れ又は瞬断にかかるコード"４１Ａ３"か否かが判断され、もし通信結果コードが画乱れ又は瞬断にかかるコード"４１Ａ３"である場合（Ｙｅｓの場合）、通信回線の伝送品質が良くない場合であると判断され、手順Ｓ８０３から手順Ｓ８０６の処理に進む。
【００３６】
手順Ｓ８０３では、通信パラメータ決定部に既に格納されている通信パラメータの中、図８に示すデータ通信速度７２を１ランク下げるように調整される。具体的には、図７、図８に示す例では、相手機宛先が"ＢＢＢ−ＢＢＢＢ（電話番号）"である通信結果コードが画乱れ又は瞬断にかかるコード"４１Ａ３"であり、当初データ信号速度が４．８kbpsであったもの（図７のデータ信号速度６３）が１ランク下げられた２．４kbpsに修正されてデータ信号速度７２に格納される。次に手順Ｓ８０４では、通信パラメータ決定部に既に格納されている通信パラメータの中、図８に示すＦａｘ信号の強さ７３を１ランク上げるように調整される。図７、８に示す例では、相手機宛先が"ＢＢＢ−ＢＢＢＢ"が通信結果コードが画乱れ又は瞬断にかかるコード"４１Ａ３"であり、当初Ｆａｘ信号の強さが１３ｄｂであったもの（図７のＦａｘ信号の強さ６４）が１ランク上げられた１４ｄｂに修正されてＦａｘ信号の強さ７３に格納される。
【００３７】
以上の処理は第１の実施形態の処理と同様であるが、本実施形態では、さらに手順Ｓ８０５でＲＴＮ送出基準の調整がなされ、手順Ｓ８０６でコーディング方式の調整が行われる。すなわち、手順Ｓ８０５では、通信パラメータ決定部に既に格納されている通信パラメータの中、図８に示すＲＴＮ送出基準を１ランク下げるように調整される。図７、８に示す例では、相手機宛先"ＢＢＢ−ＢＢＢＢ"の通信結果コードが画乱れ又は瞬断にかかるコード"４１Ａ３"であり、当初ＲＴＮ送出基準が２０％であったもの（図７のＲＴＮ送出基準６６）が１ランク下げられた１５％に修正されてＲＴＮ送出基準７５に格納される。
【００３８】
続いて手順Ｓ８０６では、通信パラメータ決定部に既に格納されている通信パラメータの中、図８に示すコーディング方式をより低位のＭＨに調整させる。図７、８に示す例では、相手機宛先"ＢＢＢ−ＢＢＢＢ（電話番号）"の通信結果コードが画乱れ又は瞬断にかかり、当初コーディング方式がＭＭＲであったもの（図７のコーディング方式６７）がより低位のＭＨに修正されてコーディング方式７６に格納される。このコーディング方式の修正後、解析部の解析フローを終了する。
【００３９】
また、手順Ｓ８０２で、通信結果コードが画乱れ又は瞬断にかかるコード"４１Ａ３"か否かが判断された結果、もし通信結果コードが画乱れ又は瞬断にかかるコード"４１Ａ３"ではない場合（Ｎｏの場合）、手順Ｓ８０７に進み、次の解析が行われる。すなわち、手順Ｓ８０７では通信結果コードがＴ２タイムアウトにかかるコード"９０８２"か否かが判断され、その結果、通信結果コードがＴ２タイムアウトにかかるコード"９０８２"である場合（Ｙｅｓの場合）には、手順Ｓ８０８に進み、通信パラメータ決定部に既に格納されている通信パラメータの中、図８に示すＴ２タイムアウトを１ランク上げるように調整される。図７、８に示す例では、相手機宛先が"ＣＣＣ−ＣＣＣＣ（電話番号）"が通信結果コードがＴ２タイムアウトにかかるコード"９０８２"であり、Ｔ２タイムアウトが６秒であったもの（図７のＴ２タイムアウト６５）が１ランク上げられた７秒に修正されてＴ２タイムアウト７４に格納される。このＴ２タイムアウトの修正後、解析部の解析フローを終了する。
【００４０】
手順Ｓ８０７で通信結果コードがＴ２タイムアウトにかかるコード"９０８２"でない場合、手順Ｓ８０９に進み、通信パラメータ決定部に格納されている各通信パラメータを状態記憶部のままの値に設定する。もし、状態記憶部にデータがない場合には、データ信号速度、Ｆａｘ信号の強さ、およびＴ２タイムアウトの各通信パラメータをそれぞれデフォルト値、３３．６ｋｂｐｓ、１３ｄｂ、１３秒に設定し、さらにＲＴＮ送出基準とコーディング方式を２０％とＭＭＲに設定する。次いで解析部の解析フローを終了する。
【００４１】
以上のような解析動作によって、通信時に通信エラーが発生した場合でも、解析部の解析動作によって、その通信エラーが通信結果コードとして次回の通信に反映され、最適な通信パラメータに設定された上での通信が実現される。特に、通信エラーが画乱れ又は瞬断に関連する場合には、Ｔ２タイムアウトを調整しても解決にならないわけであるが、データ通信速度を下げてＦａｘ信号の強さを強く調整することで、さらには、信号送出レベルと画像圧縮方式をより汎用性の高い方に変更することで、伝送品質の劣化を補ってより通信し易い方向にファクシミリ装置を修正でき、また、通信エラーがタイムアウトの場合には、データ通信速度やＦａｘ信号の強さを変えずに、タイムアウトの時間を延長することで、通信し易い方向にファクシミリ装置を修正できる。
【００４２】
また、本実施形態のファクシミリ装置においても、このような通信状態を維持するためのパラメータの調整は、上述のように、相手機宛先ごとに行われるため、呼ごとに迅速なパラメータ修正が可能であり、本実施形態のファクシミリ装置を用いることで、ファクシミリ通信のための手順を長引かせることなく、通信を確立させることができる。
【００４３】
なお、本実施形態では、画像処理装置をファクシミリ装置として説明したが、本発明はＭＦＰ装置やＦａｘモデムを使用するファクシミリ送信装置にも適用可能である。また、また、上述の実施形態においては、調整できる通信パラメータとして、データ信号速度、Ｆａｘ信号の強さ、Ｔ２タイムアウト、ＲＴＮ送出基準、およびコーディング方式を説明したが、これら以外のパラメータを調整することも可能であり、調整方法も１ランクごとに限らず、例えばタイムアウトなどは数秒程度１度に変更するようにすることも可能である。
【図面の簡単な説明】
【００４４】
【図１】本発明の第１の実施形態のファクシミリ装置の構造を示すブロック図である。
【図２】本発明の第１の実施形態のファクシミリ装置の通信制御部の動作フローを示すフローチャートである。
【図３】本発明の第１の実施形態のファクシミリ装置の解析部の解析動作フローを示すフローチャートである。
【図４】本発明の第１の実施形態のファクシミリ装置の状態記憶部の格納データを示す模式図である。
【図５】本発明の第１の実施形態のファクシミリ装置の通信パラメータ決定部の格納データを示す模式図である。
【図６】本発明の第２の実施形態のファクシミリ装置の解析部の解析動作フローを示すフローチャートである。
【図７】本発明の第２の実施形態のファクシミリ装置の状態記憶部の格納データを示す模式図である。
【図８】本発明の第２の実施形態のファクシミリ装置の通信パラメータ決定部の格納データを示す模式図である。
【符号の説明】
【００４５】
１００  ファクシミリ装置
１０１  読取り部
１０２  画像処理部
１０３  状態記憶部
１０４  通信制御部
１０５  モデム
１０６  ＮＣＵ
１０８  解析部
１０９  通信パラメータ決定部
１１０  パネル操作部
１１１  回線
【図１】
2008236508.tif 000003
【図２】
2008236508.tif 000004
【図３】
2008236508.tif 000005
【図４】
2008236508.tif 000006
【図５】
2008236508.tif 000007
【図６】
2008236508.tif 000008
【図７】
2008236508.tif 000009
【図８】
2008236508.tif 000010